(57)【要約】【課題】広告宣伝したい商品等について、一人一人が手に持って、印刷表示媒体を通して、必然的に、確実に見せることができる広告宣伝媒体を提供することにある。【解決手段】本発明は、包装容器に装着する包装容器用断熱部材の外面に、その包装容器の商品とは全く無関係の他の商品を広告宣伝する文字、図形、記号、絵柄等からなる印刷画像表示部を形成したことを特徴とする広告付き包装容器用断熱部材であり、紙カップ等の包装容器の外周に装着する折り畳み可能なテーパーを有する円筒形の広告付き包装容器用断熱部材、あるいは、プラスチックボトル等の下部に装着する天面が開口した角柱形の広告付き包装容器用断熱部材である。【選択図】図１
2004123153.tif 000002
【特許請求の範囲】
【請求項１】
加熱された内容物を収納した包装容器に装着される包装容器用断熱部材であって、該包装容器用断熱部材が装着される包装容器の商品と全く無関係の他の商品を広告宣伝する文字、図形、記号、絵柄等からなる印刷画像表示部を形成したことを特徴とする広告付き包装容器用断熱部材。
【請求項２】
前記包装容器用断熱部材が、折れ線で折り畳んだ状態から起こして紙カップ等の包装容器の外周に装着する円筒形又はテーパーを有する円筒形であることを特徴とする上記の請求項１に記載する広告付き包装容器用断熱部材。
【請求項３】
前記包装容器用断熱部材のテーパーの角度が、前記紙カップ等の包装容器のテーパーの角度より小さいことを特徴とする上記の請求項２に記載する広告付き包装容器用断熱部材。
【請求項４】
前記包装容器用断熱部材の側面に切り込みによる摘み片を設けたことを特徴とする上記の請求項２に記載する広告付き包装容器用断熱部材。
【請求項５】
前記包装容器用断熱部材の側面に取っ手を取り付けたことを特徴とする上記の請求項２に記載する広告付き包装容器用断熱部材。
【請求項６】
前記折れ線の近傍に発泡部を設けたことを特徴とする上記の請求項２に記載する広告付き包装容器用断熱部材。
【請求項７】
前記折れ線の近傍にエンボス加工部を設けたことを特徴とする上記の請求項２に記載する広告付き包装容器用断熱部材。
【請求項８】
前記包装容器用断熱部材が、プラスチックボトル等の下部に装着する天面が開口した角柱形であることを特徴とする上記の請求項１に記載する広告付き包装容器用断熱部材。
【請求項９】
前記角柱の角部の近傍に発泡部を設けたことを特徴とする上記の請求項８に記載する広告付き包装容器用断熱部材。
【請求項１０】
前記角柱の角部の近傍にエンボス加工部を設けたことを特徴とする上記の請求項８に記載する広告付き包装容器用断熱部材。
【発明の詳細な説明】
【０００１】
【発明の属する技術分野】
本発明は、広告付き包装容器用断熱部材に関し、さらに詳しくは、商品を購入した人に、広告宣伝したい商品を確実に知らせ、その関心を引きつけることができる広告付き包装容器用断熱部材に関するものである。
【０００２】
【従来の技術】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。さらに、例えば、街頭のネオンサイン等を利用し、主に、視覚を通して商品を広告宣伝する場合、さらには、ラジオ、街頭放送等を利用し、主に、音声を通して商品を広告宣伝する場合、あるいは、テレビ等を利用し、主に、音声と映像等を通して商品を広告宣伝する場合等もある。
【０００３】
しかし、上記のような広告宣伝媒体による広告宣伝は、不特定多数の人に向かって商品を広告宣伝するものであり、通常、一人一人は、それを視覚を通して見ても、また、それを聴覚をとおして聴いても、広告宣伝する商品について、それ程関心を引くものではないものである。ましてや、人は、近年、広告宣伝による喧騒、騒々しさ等に嫌悪感を持ち、かつ、へきへきしており、それほどに関心のない商品には、見たり、聴いたりすることを避け、チラシ、カタロク等に至っては、見ないで、そのまま捨ててしまい、その商品の広告宣伝に振り向かないのが実状である。従って、広告宣伝したい商品等について、一人一人が手に持って、印刷画像表示媒体を通して、必然的に、確実に見せることできる広告宣伝媒体が望まれている。
【０００４】
この要求に対して、商品を充填包装した包装容器の外面、あるいは、個包装した商品を充填包装した包装容器の外面に、該包装容器内に充填包装された商品と全く無関係の他の広告宣伝する文字、図形、記号、絵柄等からなる印刷画像表示を形成する広告宣伝媒体については、すでに提案されている（例えば、特許文献１参照。）。
【０００５】
【特許文献１】
特開平１０−２６８８１７号公報
【０００６】
【発明が解決しようとする課題】
しかしながら、上記の提案では、商品を充填包装した包装容器の外面、あるいは、個包装した商品を充填包装した包装容器の外面に、適応されるものであり、包装容器とは別部材であって、加熱された内容物に適応し、包装容器に装着して使用する断熱性を有する包装容器用断熱部材については、言及されていない。
【０００７】
【課題を解決するための手段】
本発明者は、上記のような問題点を解決すべく種々研究の結果、断熱性を付与するために包装容器に装着する包装容器用断熱部材の外面に着目し、該包装容器内に収納された商品と全く無関係の他の商品を広告宣伝する文字、図形、記号、絵柄等からなる印刷画像表示部を形成した包装容器用断熱部材を製造し、これを市場で使用したところ、その包装容器に装着された包装容器用断熱部材を利用した一人一人は、その包装容器に装着された包装容器用断熱部材を手に持って、その外面に施されている他の商品に関する印刷画像表示部に目を落とし、必然的に、確実に、その印刷画像表示部を見ることになり、これによって、極めて商品の広告宣伝機能の高い広告付き包装容器用断熱部材を製造し得ることを見出して本発明を完成したものである。
【０００８】
すなわち、本発明は、加熱された内容物を収納した包装容器に装着される包装容器用断熱部材であって、該包装容器内に収納された商品と全く無関係の他の商品を広告宣伝する文字、図形、記号、絵柄等からなる印刷画像表示部を形成したことを特徴とする広告付き包装容器用断熱部材に関するものである。
【０００９】
【発明の実施の形態】
本発明の実施の形態について以下に詳しく説明する。まず、図１は、本発明にかかる広告付き包装容器用断熱部材の第一の実施の形態の一実施例を示す概略的斜視図である。本発明にかかる広告付き包装容器用断熱部材Ａは、図１−ｃに示すように、ファーストフードの店頭等で熱せられた飲料等が注がれた紙カップ等の包装容器Ｐに装着される。その広告付き包装容器用断熱部材Ａの表面側に、その店、あるいは内容物の商品を表す絵柄等、所定の表示事項等を表す文字、図形、記号、絵柄等と全く無関係である、例えば、自動車、携帯電話、テレビ、パソコン、その他等の電気製品等の他の商品を広告宣伝する他の商品の商標名ｘ、その他の商品を表す絵柄ｙ、その他の商品の性能、製造者等を表示する欄ｚ等の他の商品を表す文字、図形、記号、絵柄等からなる印刷画像表示部Ｕを形成して、本発明にかかる広告付き包装容器用断熱部材Ａが構成されているものである。
【００１０】
すなわち、広告付き包装容器用断熱部材Ａは、使用前の段階では、図１−ａに示すように、折れ線ａ、ｂで折り畳まれた状態であり、使用時に、図１−ｂに示すように、起こしてテーパーを有する円筒形とし、紙カップ等の包装容器Ｐに装着する構造である。この広告付き包装容器用断熱部材Ａを装着することによって、加熱された内容物を入れた包装容器Ｐであっても、手で持つことができる。なお、紙カップ等の場合には、内容物を入れる前の段階でこの広告付き包装容器用断熱部材Ａを装着して、スタッキングして輸送、保管等を行ってもよい。
【００１１】
この広告付き包装容器用断熱部材Ａは、テーパーを有する紙カップ等の包装容器Ｐに好適に使用できるが、広告付き包装容器用断熱部材Ａのテーパーの角度は、図２−ａに示すように、包装容器Ｐのテーパーの角度と同一とすることが基本であるが、図２−ｂに示す別の実施例のように、包装容器Ｐのテーパーの角度より小さくしてもよく、この形状にすることによって、包装容器Ｐに装着した時に、広告付き包装容器用断熱部材Ａ１の上部が包装容器Ｐと強く接触し、中部および下部には間隙ができるため、この部分を持つとより熱さを感じにくくなるという効果がある。
【００１２】
また、図２−ｃに示す別の実施例のように、側面に切り込みによる摘み片Ｑを一つあるいは二つ設け、この摘み片Ｑを起こして持つことができる形状とすることができる。この形状の広告付き包装容器用断熱部材Ａ２とすることによって、使用する材料の坪量を小さくすることができ、コストの削減となる。
【００１３】
また、図２−ｄに示すさらに別の実施例のように、側面に取っ手Ｒを取り付け、この部分を持つことができる形状とすることができる。この形状の広告付き包装容器用断熱部材Ａ３とすることによって、使用する材料の坪量を小さくすることができ、コストの削減となる。
【００１４】
図３は、広告付き包装容器用断熱部材Ａを組み立てる前のブランクを示す展開図である。ブランク１は、扇形であり、折れ線ａ、ｂで折り曲げて、両縁部同士を貼り合わせることにより、折り畳まれた状態のスリーブ状の広告付き包装容器用断熱部材Ａが形成される。
【００１５】
つぎに、図４は、本発明にかかる広告付き包装容器用断熱部材の第二に実施の形態の一実施例を示す斜視図である。広告付き包装容器用断熱部材Ｂは、図４−ａ、ｂに示すように、プラスチックボトル等の包装容器の下部に装着される袴状である。この袴状の広告付き包装容器用断熱部材Ｂは、図４−ｃに示すように、コンビニエンスストアー等で熱せられた飲料ボトル等の包装容器Ｐの下部に装着され、その表面には、第一の実施の形態の広告付き包装容器用断熱部材Ａと同様に、その広告付き包装容器用断熱部材Ｂの表面側に、その店、あるいは内容物の商品を表す絵柄等、所定の表示事項等を表す文字、図形、記号、絵柄等と全く無関係である、例えば、自動車、携帯電話、テレビ、パソコン、その他等の電気製品等の他の商品を広告宣伝する他の商品の商標名ｘ、その他の商品を表す絵柄ｙ、その他の商品の性能、製造者等を表示する欄ｚ等の他の商品を表す文字、図形、記号、絵柄等からなる印刷画像表示部Ｕを形成して、本発明にかかる広告付き包装容器用断熱部材Ｂが構成されているものである。
【００１６】
すなわち、広告付き包装容器用断熱部材Ｂは、使用前の段階では、図４−ａに示すように、折り畳まれた状態であり、使用時に、図４−ｂに示すように、起こして天面が開口している四角柱形とし、プラスチックボトル等の包装容器Ｐの下部に装着する構造である。この広告付き包装容器用断熱部材Ｂを装着することによって、加熱された内容物を入れた包装容器Ｐであっても、手で持つことができる。この広告付き包装容器用断熱部材Ｂは、下部が四角柱形であるプラスチックボトル等の包装容器Ｐに好適に使用できるが、下部が円柱形であるプラスチックボトルなどの包装容器Ｐに対応するためには多角柱の袴状とすることができる。いずれの形状においても、広告付き包装容器用断熱部材Ｂの角部において、包装容器Ｐとの間に間隙ができるため、特にこの部分を持つとより熱さを感じにくくなるという効果がある。
【００１７】
図５は、広告付き包装容器用断熱部材Ｂを組み立てる前のブランクを示す展開図である。ブランク１０は、４つの側面１１、１２、１３、１４と糊代片１５が、折れ線ｃ、ｄ、ｅ、ｆを介して連設され、各側面の下辺には折れ線ｇ、ｈ、ｉ、ｊを介して底折り込み片１６、１７、１８、１９が連設されている。各底折り込み片を内側に折り曲げて貼り合わせ、糊代片１５と側面１１とを貼り合わせることにより、折り畳まれた状態の広告付き包装容器用断熱部材Ｂが形成される。本実施例では底の形状をオートボトム型としているが、この底の形状は特に限定されるものではない。
【００１８】
また、本発明に係る広告付き包装容器用断熱部材に使用する材料は、賦型性、耐屈曲性、剛性等を持たせるものであり、特に断熱性を有するものであることから、板紙、段ボール等があげられる。板紙の場合、坪量としては、８０〜６００ｇ／ｍ２の範囲のもの、好ましくは、１８０〜４５０ｇ／ｍ２のものを使用することが望ましい。いずれの材料においても、表面の印刷適性が良好であることが好ましい。
【００１９】
さらに、断熱性を上げるために、板紙の表面、または裏面に発泡部Ｓを設けた構成とすることができる。しかしながら、表面に設ける場合、発泡部Ｓは表面印刷画像表示部Ｕの鮮明さを損なうことになり、図６−ａ、ｂに示すように、折り畳むための折れ線近傍のみに発泡部Ｓを設けることが好ましい。また、発泡部Ｓを裏面に設け、表面に印刷画像を設ける構成とすれば問題がなく、包装容器Ｐに装着する時の滑り防止となり、脱落を防止する効果もある。
【００２０】
さらにまた、断熱性を上げるために、エンボス加工部Ｔを設けた構成とすることができる。しかしながら、エンボス加工部Ｔは、表面印刷画像表示部Ｕの鮮明さを損なうことになり、図６−ｃ、ｄに示すように、折り畳むための折れ線近傍のみにエンボス加工部Ｔを設けることが好ましい。このエンボス加工部Ｔのパターンについては、網点状、格子状等、特に限定されるもではない。
【００２１】
また、本発明においては、上記のような材料の表面に、原反の状態において、予め、例えば、文字、図形、記号、絵柄、模様等の所望の印刷絵柄を通常の印刷法、例えば、オフセット印刷、グラビア印刷、凸版印刷、シルクスクリ−ン印刷、転写印刷等によって表刷り印刷、あるいは裏刷り印刷等を行うことにより、該包装容器Ｐ内に収納された商品と全く無関係の他の商品を広告宣伝する文字、図形、記号、絵柄等からなる印刷画像表示部Ｕを形成することができるものである。なお、本発明においては、上記のような印刷画像表示部Ｕを形成するに際しては、通常の印刷インキを使用して形成する代わりに、例えば、蛍光性インキ、示温性インキ等を使用して印刷画像表示部Ｕを形成することもでき、さらには、その印刷画像表示部Ｕの構造を凹凸画像等にすることもでき、さらにまた、ホログラフィ−等を使用して印刷画像表示部Ｕを形成してもよく、また、印刷インキの色数を増やして印刷画像表示部Ｕを形成することもできる。このようにして、上記のような印刷画像表示部Ｕを形成することにより、その機能性、広告宣伝効果等をさらに高めることが可能となるものである。
【００２２】
つぎに、本発明において、包装容器Ｐ内に収納する商品は、例えば、コーヒー、茶等の飲料全般、即席食品等を対象とすることができる。また、これと全く関係のない他の商品としては、例えば、菓子、キャンディ−、果汁、酒、油、調味料等の各種の飲食品、洗剤、歯磨き粉等の日用品、雑貨品、テレビ、冷蔵庫、洗濯機、掃除機、パソコン、ゲ−ム機、オ−ディオ製品等の各種の電気製品、医薬品、ゴルフクラブ、サ−カ−ボ−ル、野球道具等の各種の運動用具、その他、種々の商品を対象とすることができ、これらの商品を任意に組み合わせて適用することができる。
【００２３】
【発明の効果】
以上の説明で明らかなように、本発明は、加熱された内容物を収納した包装容器に装着される包装容器用断熱部材の外面に着目し、その包装容器用断熱部材が装着される包装容器内に収納された商品と全く無関係の他の商品を広告宣伝する文字、図形、記号、絵柄等からなる印刷画像表示部を形成した広告付き包装容器用断熱部材を製造し、これを市場に供給して、その広告付き包装容器用断熱部材を利用した一人一人は、その広告付き包装容器用断熱部材を手に持って、その外面に施されている他の商品に関する印刷画像表示部に目を落とし、必然的に、確実に、その印刷画像表示部を見ることになり、これによって、極めて商品の広告宣伝機能の高い広告付き包装容器用断熱部材を製造し得ることができるというものである。
【図面の簡単な説明】
【図１】本発明にかかる広告付き包装容器用断熱部材の第一の実施の形態の一実施例を示す概略的斜視図である。
【図２】本発明にかかる広告付き包装容器用断熱部材の第一の実施の形態の別の実施例を示す概略的斜視図である。
【図３】本発明にかかる広告付き包装容器用断熱部材の第一の実施の形態の一実施例のブランクを示す展開図である。
【図４】本発明にかかる広告付き包装容器用断熱部材の第二の実施の形態の一実施例を示す概略的斜視図である。
【図５】本発明にかかる広告付き包装容器用断熱部材の第二の実施の形態の一実施例のブランクを示す展開図である。
【図６】本発明にかかる広告付き包装容器用断熱部材の第一の実施の形態および第二の実施の形態の別の実施例を示す概略的斜視図である。
【符号の説明】
Ａ　　　広告付き包装容器用断熱部材（第一の実施の形態の一実施例）
Ａ１　　広告付き包装容器用断熱部材（第一の実施の形態の別の実施例）
Ａ２　　広告付き包装容器用断熱部材（第一の実施の形態の別の実施例）
Ａ３　　広告付き包装容器用断熱部材（第一の実施の形態の別の実施例）
１　　　ブランク（第一の実施の形態の一実施例）
Ｂ　　　広告付き包装容器用断熱部材（第二の実施の形態の一実施例）
１０　　　ブランク（第二の実施の形態の一実施例）
１１〜１４　側面
１５　　　糊代片
１６〜１９　底折り込み片
ａ、ｂ　　折れ線（ブランク１）
ｃ〜ｊ　　折れ線（ブランク１０）
Ｐ　　　包装容器
Ｑ　　　摘み片
Ｒ　　　取っ手
Ｓ　　　発泡部
Ｔ　　　エンボス加工部
Ｕ　　　他の商品を表す文字、図形、記号、絵柄等からなる印刷画像表示部
ｘ　　　他の商品の商標名
ｙ　　　他の商品を表す絵柄
ｚ　　　他の商品の性能、製造者等を表示する欄
【図１】
2004123153.tif 000003
【図２】
2004123153.tif 000004
【図３】
2004123153.tif 000005
【図４】
2004123153.tif 000006
【図５】
2004123153.tif 000007
【図６】
2004123153.tif 000008